(57)【特許請求の範囲】
【請求項１】
バンドが異なる複数のセルがオーバーレイされ、通信装置とユーザ装置とを有する無線通信システムにおける通信装置であって、
前記ユーザ装置が在圏中の第一のセルにおける、前記ユーザ装置の通信品質を取得する取得部と、
前記ユーザ装置の通信品質に基づいて、前記第一のセルにオーバーレイされた第二のセルに切替えるか否かを判定する判定部と、
前記第一のセルにオーバーレイされた第二のセルに切替えると判定された場合、前記ユーザ装置に、前記第二のセルへの切替えを指示する指示部と、
を有し、
前記複数のセルのうち切替え元のセルにおいて測定された下りリンクの受信品質と切替え先のセルにおける通信品質とが対応づけられた履歴情報を記憶する記憶部、を有し、
前記取得部は、前記ユーザ装置の通信品質として前記第一のセルにおける下りリンクの受信品質を取得し、
前記判定部は、前記取得部で取得された前記第一のセルにおける下りリンクの受信品質と前記履歴情報とを比較することで、切替え先のセルの候補を抽出し、抽出された切替え先のセルの候補から、前記ユーザ装置が切替えるべき前記第二のセルを選択する、
通信装置。
【請求項２】
前記ユーザ装置の通信品質は、所定期間における前記ユーザ装置のスループットであり、
前記判定部は、前記第二のセルに在圏中の他の複数のユーザ装置における平均スループットと前記所定期間における前記ユーザ装置のスループットとを比較し、前記第二のセルに在圏中の他の複数のユーザ装置における平均スループットが前記所定期間における前記ユーザ装置のスループットよりも大きい場合に、前記第一のセルにオーバーレイされた第二のセルに切替えると判定する、
請求項１に記載の通信装置。
【請求項３】
前記判定部は、前記所定期間における前記ユーザ装置のスループットを、前記第一のセルにおいて、前記ユーザ装置から通知される下りリンクの無線品質に基づいて推定する、
請求項２に記載の通信装置。
【請求項４】
前記取得部は、前記ユーザ装置の契約情報を取得し、
前記判定部は、前記ユーザ装置の契約情報に基づいて、切替え先のセルを判定する、
請求項１乃至３のいずれか一項に記載の通信装置。
【請求項５】
前記履歴情報は、更に、前記切替え元のセルの周辺の１以上のセルにおける下りリンクの受信品質が対応づけられており、
前記取得部は、前記ユーザ装置から、更に、前記第一のセルの周辺の１以上のセルにおける下りリンクの受信品質を取得し、
前記判定部は、前記取得部で取得された前記第一のセルにおける下りリンクの受信品質と、前記第一のセルの周辺の１以上のセルにおける下りリンクの受信品質と、前記履歴情報とを比較することで、切替え先のセルの候補を抽出し、抽出された切替え先のセルの候補から、前記ユーザ装置が切替えるべき前記第二のセルを選択する、
請求項１に記載の通信装置。
【発明の詳細な説明】
【技術分野】
【０００１】
本発明は、通信装置に関する。
【背景技術】
【０００２】
ＬＴＥ（Long Term Evolution）では、システム容量の更なる大容量化、データ伝送速度の更なる高速化、無線区間における更なる低遅延化などを実現するために、５Ｇと呼ばれる無線通信方式の検討が進んでいる。
【０００３】
例えば、ＩｏＴ（Internet of Things）に代表されるようなサービスに対応するため、膨大な数の端末が５Ｇの無線ネットワークを介してデータ送信を行うことを可能にするための要素技術の検討が行われている。また、１０Ｇｂｐｓ以上のスループットを実現しつつ無線区間の遅延を１ｍｓ以下にするという要求条件を満たすために、様々な要素技術の検討が行われている。
【先行技術文献】
【非特許文献】
【０００４】
【非特許文献１】株式会社ＮＴＴドコモ、"ドコモ５Ｇホワイトペーパー"、２０１４年９月
【発明の概要】
【発明が解決しようとする課題】
【０００５】
５Ｇが実現される時代には、複数のバンド（同一通信方式や異なる通信方式を含む）で構成されるセルが多様にオーバーレイされた無線通信システムが実現されることが想定される。このような無線通信システムの例を図１に示す。図１に示す無線通信システムは、１０ＧＨｚ帯を用いる５Ｇのセルと、８００ＭＨｚ帯を用いるＬＴＥのセルと、５ＧＨｚ帯を用いる無線ＬＡＮのセルがそれぞれオーバーレイされており、ユーザ装置は、これらのセルを様々に切替えながら通信を行う。
【０００６】
ここで、キャリアアグリゲーションが導入される前のユーザ装置は、基本的に単一のバンドのみで送受信可能な機能を備えているのが一般的であった。これは、複数のバンドを同時に送受信可能な機能を備えると、ユーザ装置の機能が複雑化してユーザ装置の製造コスト等が増大するためである。
【０００７】
５Ｇで用いられるバンドの帯域は、ＬＴＥのバンド（最大２０Ｍｈｚ）と比較して、大幅に拡大される（数１００ＭＨｚ〜１ＧＨ）予定である。従って、狭い帯域のバンドを束ねることで帯域幅を稼ぐキャリアアグリゲーション技術は、５Ｇが実現される時代では積極的には用いられない可能性がある。そうすると、５Ｇが実現される時代では、キャリアアグリゲーションが導入される前と同様に、ユーザ装置は、基本的に単一のバンドのみで送受信可能な機能を備える方向に戻ることが想定される。
【０００８】
次に、ユーザ装置は、ハンドオーバー等のセル切替え処理を行うために、周期的に周辺セルの品質測定を行っている。ユーザ装置は、通信中のセルのバンドとは異なるバンドで品質測定を行う際は、受信機内の周波数（バンド）を切替える処理を行う必要がある。周波数（バンド）を切替えている際は、通信中のセルにおける通信が途絶えることになるため、ユーザ装置は、基本的には通信中のバンドと同一バンドで周辺セルの品質測定を行おうとする。つまり、ユーザ装置は、基本的には、通信中のセルで通信品質が劣化した場合、通信中のバンド内の他のセルに切替えようとする。
【０００９】
そうすると、複数のバンドで構成されるセルが多様にオーバーレイされた無線通信システムが実現される場合、ユーザ装置が通信中以外のバンドのセルに切替える契機が十分に確保されない可能性がある。例えば図１の例において、セルＢ１に在圏しているユーザ装置（ＵＥ）がセルＢ２に移動した場合を想定する。図１の例では、ユーザ装置の移動先には、セルＢ２以外に、セルＡ１及びセルＣ２がオーバーレイされている。各セルの通信状況や特性等によっては、ユーザ装置は、必ずしもセルＢ２に切替えるのではなく、セルＡ１やセルＣ２に切替えて通信するのが適切である場合も想定される。しかしながら、前述のように、ユーザ装置は基本的に同一バンド内の他のセルに切替えようとするため、通信中以外のバンドのセルに切替えるのが適切である場合に対応することができない。
【００１０】
開示の技術は上記に鑑みてなされたものであって、複数のセルがオーバーレイされた無線通信システムにおいて、適切にセルの切替えを行うことを可能にする技術を提供する。
【課題を解決するための手段】
【００１１】
開示の技術の通信装置は、バンドが異なる複数のセルがオーバーレイされ、通信装置とユーザ装置とを有する無線通信システムにおける通信装置であって、前記ユーザ装置が在圏中の第一のセルにおける、前記ユーザ装置の通信品質を取得する取得部と、前記ユーザ装置の通信品質に基づいて、前記第一のセルにオーバーレイされた第二のセルに切替えるか否かを判定する判定部と、前記第一のセルにオーバーレイされた第二のセルに切替えると判定された場合、前記ユーザ装置に、前記第二のセルへの切替えを指示する指示部と、を有し、前記複数のセルのうち切替え元のセルにおいて測定された下りリンクの受信品質と切替え先のセルにおける通信品質とが対応づけられた履歴情報を記憶する記憶部、を有し、前記取得部は、前記ユーザ装置の通信品質として前記第一のセルにおける下りリンクの受信品質を取得し、前記判定部は、前記取得部で取得された前記第一のセルにおける下りリンクの受信品質と前記履歴情報とを比較することで、切替え先のセルの候補を抽出し、抽出された切替え先のセルの候補から、前記ユーザ装置が切替えるべき前記第二のセルを選択する、通信装置。
【発明の効果】
【００１２】
開示の技術によれば、複数のセルがオーバーレイされた無線通信システムにおいて、適切にセルの切替えを行うことが可能な技術が提供される。
【図面の簡単な説明】
【００１３】
【図１】複数のセルが多様にオーバーレイされる構成の一例を示す図である。
【図２】実施の形態に係る無線通信システムのシステム構成例を示す図である。
【図３】実施の形態に係る通信装置の機能構成例を示す図である。
【図４】オーバーレイ情報の一例を示す図である。
【図５】通信品質情報の一例を示す図である。
【図６】セル切替履歴情報の一例を示す図である。
【図７】セル切替履歴情報を説明するための図である。
【図８】実施の形態に係る基地局の機能構成例を示す図である。
【図９】実施の形態に係るユーザ装置の機能構成例を示す図である。
【図１０】実施の形態に係る通信装置のハードウェア構成例を示す図である。
【図１１】実施の形態に係る基地局のハードウェア構成例を示す図である。
【図１２】実施の形態に係るユーザ装置のハードウェア構成例を示す図である。
【図１３】実施の形態に係る無線通信システムが行う処理手順例を示すシーケンス図である。
【図１４】通信状況の変化の一例を示す図である。
【図１５】契約情報の一例を示す図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１５】
本実施の形態において、「セルを切替える」とは、ハンドオーバー、セルの再選択を含む意味で使用する。
【００１６】
＜システム構成＞
図２は、実施の形態に係る無線通信システムのシステム構成例を示す図である。本実施の形態に係る無線通信システムは、通信装置１と基地局２ａと基地局２ｂと基地局２ｃとユーザ装置ＵＥとを有する。以下の説明において、基地局２ａと基地局２ｂと基地局２ｃとを区別しない場合は、「基地局２」と記載する。図２ではユーザ装置ＵＥが１つ図示されているが、便宜上であり、無線通信システム内には複数のユーザ装置ＵＥが存在する。
【００１７】
基地局２ａはセルＡ１を形成し、基地局２ｂはセルＢ１、セルＢ２及びセルＢ３を形成し、基地局２ｃはセルＣ１、セルＣ２及びセルＣ３を形成している。セルＡ１と、セルＢ１〜Ｂ３と、セルＣ１〜Ｃ３は、それぞれ異なるバンドのセルである前提とする。異なるバンドとは具体的にどのようなバンドであってもよいが、組み合わせの一例として、セルＡ１は８００ＭＨｚ帯、セルＢ１〜Ｂ３は１０ＧＨｚ帯、セルＣ１〜Ｃ３は５ＧＨｚ帯などであってもよい。図２では、３つのバンドのセルがオーバーレイされているが、本無線通信システムは、４つ以上のバンドのセルがオーバーレイされる構成であってもよいし、２つのバンドのセルがオーバーレイされる構成であってもよい。
【００１８】
また、本実施の形態では、各バンドで用いられる通信方式は同一でもよいし異なる通信方式であってもよい。各バンドで用いられる通信方式はどのような通信方式であってもよいが、例えば、ＬＴＥ方式、５Ｇ方式、無線ＬＡＮ方式、ＷｉＧｉｇ（ＩＥＥＥ８０２．１１ａｄ）などである。組み合わせの一例として、例えば、セルＡ１、セルＢ１〜Ｂ３、及びセルＣ１〜Ｃ３が全てＬＴＥ方式であってもよいし、５Ｇ方式であってもよい。また、セルＡ１はＬＴＥ方式、セルＢ１〜Ｂ３は５Ｇ方式、セルＣ１〜Ｃ３は無線ＬＡＮ方式などであってもよい。
【００１９】
通信装置１は、基地局２及びユーザ装置ＵＥと通信し、ユーザ装置ＵＥにおける通信品質等に基づいて、切替え先のセルを指示する機能を有する。通信装置１は、例えば、交換機（例えばＭＭＥなど）であってもよいし、加入者を管理する加入者管理装置（例えば、ＨＳＳなど）であってもよいし、交換機に接続されたサーバ等であってもよい。また、本実施の形態では、通信装置１の各機能を基地局２に実装するようにしてもよい。
【００２０】
＜機能構成＞
（通信装置）
図３は、実施の形態に係る通信装置の機能構成例を示す図である。図３に示すように、通信装置１は、通信部１０１、収集部１０２、記憶部１０３、判定部１０４及び指示部１０５を含む。図３は、本実施の形態における主要な機能部のみを示すものであり、例えばＬＴＥ、５Ｇ又は無線ＬＡＮ等の通信方式に準拠した動作を行うための図示しない機能も有するものである。ただし、後述する「＜処理手順＞」で説明する通信装置１の処理の一部（例：特定の１つ又は複数の変形例、具体例のみ等）を実行可能としてもよい。
【００２１】
通信部１０１は、基地局２と通信する機能、及び、基地局２を介してユーザ装置ＵＥと通信する機能を有する。
【００２２】
収集部１０２は、ユーザ装置ＵＥが在圏中のセルにおける、ユーザ装置ＵＥの通信品質（例えばスループット）を収集する機能を有する。また、収集部１０２は、収集したユーザ装置ＵＥの通信品質を、本無線通信システムに存在する各セルにおける通信品質を示す「通信品質情報」に格納する。収集部１０２は、取得部と呼ばれても良い。通信品質情報の具体例については後述する。
【００２３】
また、収集部１０２は、無線通信システムに存在するユーザ装置ＵＥが過去にセルの切替えを行った際に、切替え先のセルでどのような通信状況に変化したのかを示す「セル切替履歴情報」を収集して記憶部１０３に格納する。セル切替履歴情報の具体例については後述する。
【００２４】
記憶部１０３は、本無線通信システムに存在する各セルがどのような組み合わせでオーバーレイされているかを示す「オーバーレイ情報」を記憶する。オーバーレイ情報については後述する。また記憶部１０３は、「通信品質情報」及び「セル切替履歴情報」を記憶する。
【００２５】
判定部１０４は、ユーザ装置ＵＥにおける通信品質等に基づいて、切替え先のセルを指示する機能を有する。
【００２６】
指示部１０５は、判定部１０４で判定されたセルへの切替えをユーザ装置ＵＥに指示する機能を有する。当該指示はどのようなメッセージで行われても良い。例えば、ＲＲＣシグナリングであってもよいし、ＮＡＳシグナリングであってもよいし、新たなプロトコルが用いられてもよい。
【００２７】
（オーバーレイ情報）
図４は、オーバーレイ情報の一例を示す図である。オーバーレイ情報は本無線通信システムに存在する各セルがどのような組み合わせでオーバーレイされているかを示している。なお、図４に示すオーバーレイ情報は、図２のセル構成に対応している。
【００２８】
図４において「オーバーレイセル」は、「セル」にオーバーレイされる（重なっている）セルを示している。例えば、セルＡ１には、セルＢ１、Ｂ２、Ｂ３、Ｃ１、Ｃ２及びＣ３がオーバーレイされていることを示している。
【００２９】
（通信品質情報）
図５は、通信品質情報の一例を示す図である。通信品質情報にはセルごとの通信品質として、所定の期間（例えば、直近の１０秒や過去１時間など）における、各ユーザ装置ＵＥのスループット（平均スループット）が格納される。図５の例では、セルＡ１における所定の期間のスループットは、２０Ｍｂｐｓであることが示されている。通信装置１の収集部１０２は、例えば、基地局２から各ユーザ装置ＵＥのスループットを取得し、取得した複数のユーザ装置ＵＥのスループットの平均値を通信品質情報に格納するようにしてもよい。また、通信装置１が交換機である場合、収集部１０２は、自身を流れるトラフィックからユーザ装置ＵＥ毎のスループットを取得し、取得した複数のユーザ装置ＵＥのスループットの平均値を通信品質情報に格納するようにしてもよい。
【００３０】
（セル切替履歴情報）
図６は、セル切替履歴情報の一例を示す図である。セル切替履歴情報には、無線通信システムに存在する各ユーザ装置ＵＥが過去にセルの切替えを行った際に、切替え先のセルでどのような通信状況に変化したのかを示す情報が履歴として格納される。より具体的には、図６（ａ）に示すように、セル切替履歴情報には、切替え元セルの受信品質と、切替え先セルの通信品質とが対応づけられて格納される。切替え元セルの受信品質は、例えば、ユーザ装置ＵＥで測定されたＤＬの受信品質（ＳＮＲ(Signal to Noise Ratio)、ＳＩＮＲ（Signal to Interference plus Noise Ratio）、ＲＳＲＰ（Receiving Signal Received Power）、ＲＳＲＱ（Receiving Signal Received Quality）、ＣＱＩ（Channel Quality Indicator）など）であってもよい。ＤＬの受信品質は、測定値がそのまま格納されてもよいし、所定のレベルで量子化された値が格納されていてもよい。図６の例は、量子化された値が格納される場合を示している。切替え先セルの通信品質は、例えば、セル切替え直後の所定の期間（例えば、セル切替え直後の１０秒など）の平均スループットであってもよいし、所定の期間（例えば１週間など）における各ユーザ装置ＵＥでのセル切替え完了率でもよい。また、平均スループットとセル切替え完了率の両方が含まれていてもよい。
【００３１】
また、図６（ｂ）に示すように、セル切替履歴情報には、切替え元セルの受信品質と、切替え元セルから切替え先セルに切替える際に各ユーザ装置ＵＥで観測された周辺セル（同一バンドの周辺セル）の受信品質と、切替え先セルの通信品質とが対応づけられて格納されるようにしてもよい。
【００３２】
ここで、図６（ａ）及び図６（ｂ）の各レコードの左側に付与されている「Ａ」〜「Ｄ」の符号は、図７に示す「Ａ」〜「Ｄ」の符号に対応している。例えば、図７においてセルＢ１内の「Ａ」の位置に在圏しているユーザ装置ＵＥは、セルＢ１にオーバーレイしているセルＡ１に切替えることができる。また、セルＢ１内の「Ｂ」の位置に在圏しているユーザ装置ＵＥは、セルＢ１にオーバーレイしているセルＡ１又はセルＣ１のいずれかに切替えることができる。図６（ｂ）に示すフォーマットのセル切替履歴情報では、単純に切替え元セルと切替え先セルが履歴に記録されるのみであるため、セルＢ１内の「Ａ」の位置に在圏しているユーザ装置ＵＥの履歴と、セルＢ１内の「Ｂ」の位置に在圏しているユーザ装置ＵＥの履歴は、同一のレコードに記録されることになる。
【００３３】
一方、図６（ｂ）に示すフォーマットのセル切替履歴情報では、切替え元セルに加えて、セルを切替える際にユーザ装置ＵＥで観測された周辺セルの受信品質が記録されているため、セルＢ１内の「Ａ」の位置に在圏しているユーザ装置ＵＥの履歴と、セルＢ１内の「Ｂ」の位置に在圏しているユーザ装置ＵＥの履歴は、異なるレコードに記録されることになる。つまり、図６（ｂ）に示すフォーマットの切替履歴情報は、図６（ａ）に示すフォーマットの切替履歴情報よりも、切替え前のユーザ装置ＵＥの位置をより高精度に反映することができる。
【００３４】
（基地局）
図８は、実施の形態に係る基地局の機能構成例を示す図である。図８に示すように、基地局２は、通信部２０１、及び通信制御部２０２を含む。図４は、本実施の形態における主要な機能部のみを示すものであり、例えばＬＴＥ、５Ｇ又は無線ＬＡＮ等の通信方式に準拠した動作を行うための図示しない機能も有するものである。ただし、後述する「＜処理手順＞」で説明する通信装置１の処理の一部（例：特定の１つ又は複数の変形例、具体例のみ等）を実行可能としてもよい。
【００３５】
通信部２０１は、無線を介してユーザ装置ＵＥと通信する機能、及び有線（無線でもよい）を介して通信装置１と通信する機能を有する。
【００３６】
通信制御部２０２は、基地局２がサポートする通信方式に係る通信を制御するための各種の機能を有する。例えば、基地局２がＬＴＥをサポートしている場合、ＬＴＥにおけるレイヤ１〜レイヤ３までの各種の機能を実行する機能、基地局２間で各種のメッセージを送受信する機能、交換機（ＭＭＥ、ＳＧＷ）と通信するための各種の機能を含む。
【００３７】
また、通信制御部２０２は、ユーザ装置ＵＥから送信される上りリンクの信号の受信品質（例えば、ＳＮＲ、ＳＩＮＲ、ＲＳＲＰ、ＲＳＲＱなど）を測定し、通信装置１に通知する機能を有していてもよい。また、通信制御部２０２は、ユーザ装置ＵＥと基地局２との間のスループットを測定（又は推定）し、通信装置１に通知する機能を有していてもよい。
【００３８】
（ユーザ装置）
図９は、実施の形態に係るユーザ装置の機能構成例を示す図である。図９に示すように、ユーザ装置ＵＥは、通信部３０１、セル切替部３０２及び測定部３０３を含む。図９は、本実施の形態における主要な機能部のみを示すものであり、例えばＬＴＥ、５Ｇ又は無線ＬＡＮ等の通信方式に準拠した動作を行うための図示しない機能も有するものである。
【００３９】
通信部３０１は、無線を介して基地局２と通信する機能、基地局２を介して通信装置１と通信する機能を有する。ただし、後述する「＜処理手順＞」で説明する通信装置１の処理の一部（例：特定の１つ又は複数の変形例、具体例のみ等）を実行可能としてもよい。
【００４０】
セル切替部３０２は、通信装置１からの指示に基づき、在圏するセルを、現在のセルから指示されたセルに切替える機能を有する。
【００４１】
測定部３０３は、在圏中のセルの受信品質（下りリンクの受信品質）を測定し、基地局２又は通信装置１に通知する機能を有する。測定部３０３が測定する受信品質は、例えば、ＳＮＲ、ＳＩＮＲ、ＲＳＲＰ、ＲＳＲＱ、ＣＱＩ（Channel Quality Indicator）などである。また、測定部３０３は、在圏中のセルと同一バンドの周辺セルの受信品質（下りリンクの受信品質）を測定し、基地局２又は通信装置１に通知する機能を有していてもよい。
【００４２】
＜ハードウェア構成＞
（通信装置）
図１０は、実施の形態に係る通信装置のハードウェア構成例を示す図である。実施の形態に係る通信装置１は、ＣＰＵ４０１と、ＲＯＭ４０２と、ＲＡＭ４０３と、ＨＤＤ４０４と、操作部４０５と、表示部４０６と、ドライブ装置４０７と、ＮＩＣ（Network Interface card）４０８とを有する。
【００４３】
ＣＰＵ４０１は、通信装置１の全体制御を行うプロセッサである。ＣＰＵ４０１は、ＨＤＤ４０４等に記憶されたオペレーティングシステム、アプリケーション、各種サービス等のプログラムを実行し、通信装置１の各種機能を実現する。ＲＯＭ４０２には、各種のプログラムやプログラムによって利用されるデータ等が記憶される。ＲＡＭ４０３は、プログラムをロードするための記憶領域や、ロードされたプログラムのワーク領域等として用いられる。ＨＤＤ４０４には、各種情報及びプログラム等が記憶される。
【００４４】
操作部４０５は、ユーザからの入力操作を受け付けるためのハードウェアであり、例えばキーボード又はマウスである。表示部４０６は、利用者に向けた表示を行うハードウェアである。
【００４５】
ドライブ装置４０７は、プログラムを記録した記憶媒体４０９からプログラムを読み取る。ドライブ装置４０７によって読み取られたプログラムは、例えば、ＨＤＤ４０４にインストールされる。ＮＩＣ４０８は、通信装置１をネットワークに接続し、データの送受信を行うための通信インタフェースである。
【００４６】
なお、記憶媒体４０９とは、非一時的（non-transitory）な記憶媒体を言う。記憶媒体４０９の例としては、磁気記憶媒体、光ディスク、光磁気記憶媒体、不揮発性メモリなどがある。
【００４７】
（基地局）
図１１は、実施の形態に係る基地局のハードウェア構成例を示す図である。図１１は、図８よりも実装例に近い構成を示している。図１１に示すように、基地局２は、無線信号に関する処理を行うＲＦ（Radio Frequency）モジュール５０１と、ベースバンド信号処理を行うＢＢ（Base Band）処理モジュール５０２と、上位レイヤ等の処理を行う装置制御モジュール５０３と、ネットワークと接続するためのインタフェースである通信ＩＦ５０４とを有する。
【００４８】
ＲＦモジュール５０１は、ＢＢ処理モジュール５０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール５０２に渡す。ＲＦモジュール５０１は、例えば、図８に示す通信部２０１の一部を含む。
【００４９】
ＢＢ処理モジュール５０２は、ＩＰパケットとデジタルベースバンド信号とを相互に変換する処理を行う。ＤＳＰ（Digital Signal Processor）５１２は、ＢＢ処理モジュール５０２における信号処理を行うプロセッサである。メモリ５２２は、ＤＳＰ５１２のワークエリアとして使用される。ＢＢ処理モジュール５０２は、例えば、図８に示す通信部２０１の一部、通信制御部２０２の一部を含む。
【００５０】
装置制御モジュール５０３は、ＩＰレイヤのプロトコル処理、ＯＡＭ（Operation and Maintenance）処理等を行う。プロセッサ５１３は、装置制御モジュール５０３が行う処理を行うプロセッサである。メモリ５２３は、プロセッサ５１３のワークエリアとして使用される。補助記憶装置５３３は、例えばＨＤＤ等であり、基地局２自身が動作するための各種設定情報等が格納される。装置制御モジュール５０３は、例えば、図８に示す通信部２０１の一部、通信制御部２０２の一部を含む。
【００５１】
（ユーザ装置）
図１２は、実施の形態に係るユーザ装置のハードウェア構成例を示す図である。図１２は、図９よりも実装例に近い構成を示している。図１２に示すように、ユーザ装置ＵＥは、無線信号に関する処理を行うＲＦモジュール６０１と、ベースバンド信号処理を行うＢＢ処理モジュール６０２と、上位レイヤ等の処理を行うＵＥ制御モジュール６０３とを有する。
【００５２】
ＲＦモジュール６０１は、ＢＢ処理モジュール６０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール６０２に渡す。ＲＦモジュール６０１は、例えば、図９に示す通信部３０１の一部を含む。
【００５３】
ＢＢ処理モジュール６０２は、ＩＰパケットとデジタルベースバンド信号とを相互に変換する処理を行う。ＤＳＰ６１２は、ＢＢ処理モジュール６０２における信号処理を行うプロセッサである。メモリ６２２は、ＤＳＰ６１２のワークエリアとして使用される。ＢＢ処理モジュール６０２は、例えば、図９に示す通信部３０１の一部、測定部３０３を含む。
【００５４】
ＵＥ制御モジュール６０３は、ＩＰレイヤのプロトコル処理、各種アプリケーションの処理等を行う。プロセッサ６１３は、ＵＥ制御モジュール６０３が行う処理を行うプロセッサである。メモリ６２３は、プロセッサ６１３のワークエリアとして使用される。ＵＥ制御モジュール６０３は、例えば、図９に示す通信部３０１の一部、セル切替部３０２を含む。
【００５５】
＜処理手順＞
続いて、実施の形態に係る無線通信システムが行う具体的な処理手順について図を参照しつつ説明する。
【００５６】
（処理シーケンスについて）
図１３は、実施の形態に係る無線通信システムが行う処理手順例を示すシーケンス図である。
【００５７】
まず、通信装置１の収集部１０２は、通信品質情報又は／及びセル切替履歴情報を収集して記憶部１０３に格納しておく（Ｓ１０１）。また、ユーザ装置ＵＥは、いずれかのセルを介して基地局２と通信しているとする（Ｓ１０２）。図１３の例では、ユーザ装置ＵＥは、セルＢ１を介して基地局２ｂと通信している。
【００５８】
続いて、通信装置１の判定部１０４は、ユーザ装置ＵＥが在圏中のセルにオーバーレイされたセルのうち、いずれかのセルへの切替えを指示すべきか否かを判定する（Ｓ１０３）。図１３の例では、判定部１０４は、セルＢ１からセルＣ１への切替えを指示すべきと判定したとする。
【００５９】
続いて、通信装置１の指示部１０５は、ユーザ装置ＵＥに対して、ステップＳ１０３の処理手順で判定したセルへの切替えを指示する（Ｓ１０４）。ユーザ装置ＵＥは、指示されたセルへの切替えを行い（Ｓ１０５）、切替え後のセルを介して基地局２と通信を行う（Ｓ１０６）。図１３の例では、指示部１０５は、セルＣ１への切替えを指示し、ユーザ装置ＵＥは、セルＣ１に切替えて基地局２ｃと通信を行う。
【００６０】
（切替え判定方法について）
次に、図１３のステップＳ１０３の処理手順において、通信装置１の判定部１０４が、セルの切替えを判定する方法について具体的に説明する。判定部１０４は、どのような方法でセルの切替えを判定してもよいが、例えば、以下に示す情報に基づいてセルの切替えを判定するようにしてもよい。
【００６１】
［通信状況（スループット）に基づいて判定］
判定部１０４は、ユーザ装置ＵＥの通信状況に基づいて、セルの切替えを判定するようにしてもよい。具体的には、判定部１０４は、ユーザ装置ＵＥのスループットが所定の閾値よりも低い場合、ユーザ装置ＵＥが現在在圏しているセルにオーバーレイしているセルのうちいずれかのセルに切替えるべきと判定してもよい。
【００６２】
また、他の例として、判定部１０４は、ユーザ装置ＵＥに送信すべきデータの滞留量に基づいて、セルの切替えを判定するようにしてもよい。ユーザ装置ＵＥに送信すべきデータの滞留量が多い場合、そのセルにおけるスループットが低い状況であると推定されるため、セルを切替えることで、スループットの向上が見込める可能性がある。具体的には、判定部１０４は、通信装置１又は基地局２においてユーザ装置ＵＥに送信すべきデータの滞留量が所定の閾値よりも大きい場合、ユーザ装置ＵＥが現在在圏しているセルにオーバーレイしているセルのうちいずれかのセルに切替えるべきと判定してもよい。
【００６３】
また、他の例として、判定部１０４は、ユーザ装置ＵＥが現在在圏しているセルの通信状況と、当該セルにオーバーレイしている他のセルにおける通信情報とに基づいて、セルの切替えを判定するようにしてもよい。具体的には、判定部１０４は、ユーザ装置ＵＥが現在在圏しているセルにオーバーレイしているセルのうち、ユーザ装置ＵＥのスループット（現在のスループット）よりも平均スループットが高いセルに切替えるべきと判定してもよい。
【００６４】
具体例として、例えば、ユーザ装置ＵＥがセルＢ１に在圏しており、ユーザ装置ＵＥのスループットが、図１４（ａ）に示すように変化すると仮定する。図１４（ａ）では、ａ秒〜ｂ秒の間では５０Ｍｂｐｓであったスループットが、ｘ秒〜ｙ秒の間で１Ｍｂｐｓに低下することが示されている。また、Ｂ１以外のセルにおける平均スループット（Ｂ１以外のセルの各々に在圏している複数のユーザ装置ＵＥのスループットの平均値）は、ａ秒〜ｙ秒までの間、継続して図５に示すスループットであると仮定する。また、オーバーレイ情報には図４に示す情報が格納されていると仮定する。
【００６５】
まず、判定部１０４は、オーバーレイ情報を用いて、セルＢ１にオーバーレイしているセルを抽出しておく。ここでは、セルＡ１及びセルＣ１が抽出される。続いて、判定部１０４は、ユーザ装置ＵＥのａ秒〜ｂ秒の間におけるスループットと、セルＡ１及びセルＣ１のａ秒〜ｂ秒の間における平均スループットとを比較し、ユーザ装置ＵＥのスループットよりも平均スループットが上回るセルがあるかを判定する。ユーザ装置ＵＥのスループットは５０Ｍｂｐｓであり、セルＡ１及びセルＣ１における平均スループットはそれぞれ２０Ｍｂｐｓ及び１５Ｍｂｐｓである。従って、判定部１０４は、ユーザ装置ＵＥのスループットを上回るセルは存在しないため、セルの切替えは不要であると判定する。
【００６６】
続いて、判定部１０４は、ユーザ装置ＵＥのｘ秒〜ｙ秒の間におけるスループットと、セルＡ１及びセルＣ１のｘ秒〜ｙ秒の間における平均スループットとを比較し、ユーザ装置ＵＥのスループットよりも平均スループットが上回るセルがあるかを判定する。ユーザ装置ＵＥのスループットは１Ｍｂｐｓであり、セルＡ１及びセルＣ１における平均スループットはそれぞれ２０Ｍｂｐｓ及び１５Ｍｂｐｓである。従って、判定部１０４は、セルＡ１及びセルＣ１のいずれか（例えば、最も平均スループットが大きいセルＡ１）に切替えるべきと判定する。
【００６７】
［通信状況（通信品質）に基づいて判定］
判定部１０４は、ユーザ装置ＵＥから通知される通信品質（ＤＬの通信品質）又は基地局２で測定される通信品質（ユーザ装置ＵＥから受信するＵＬの無線品質）に基づいて、セルの切替えを判定するようにしてもよい。具体的には、判定部１０４は、ユーザ装置ＵＥから通知される通信品質又は基地局２で測定される通信品質が所定の閾値よりも低い場合、ユーザ装置ＵＥが現在在圏しているセルにオーバーレイしているセルのうちいずれかのセルに切替えるべきと判定してもよい。
【００６８】
また、判定部１０４は、ユーザ装置ＵＥから周期的に通知される通信品質（ＤＬの通信品質）又は基地局２で周期的に測定される通信品質（ユーザ装置ＵＥから受信するＵＬの無線品質）を用いてユーザ装置ＵＥの実際のスループットを推定し、推定した実際のスループットよりも平均スループットが高いセルに切替えるべきと判定するようにしてもよい。
【００６９】
ユーザ装置ＵＥから周期的に通知される通信品質は、例えば、ＣＱＩ（Channel Quality Indicator）であってもよい。ＣＱＩとは、ユーザ装置ＵＥが基地局２に対して、ＤＬに用いるべき変調方式及び符号化速度を指示するインデックスである。ＣＱＩの値から変調方式及び符号化速度が決定されるため、判定部１０４は、変調方式及び符号化速度に基づいて、ユーザ装置ＵＥにおけるスループットを推測するようにしてもよい。
【００７０】
また、各セルにおける通信方式がＴＤＤ（Time Division Duplex）方式である場合、ＵＬとＤＬの無線品質は等価である。従って、判定部１０４は、通信方式がＴＤＤ方式である場合は、基地局２で測定されるＵＬの無線品質から、ユーザ装置ＵＥのスループットを推測するようにしてもよい。
【００７１】
ユーザ装置ＵＥから周期的に通知される通信品質の具体例を図１４（ｂ）に示す。例えば、判定部１０４は、通知されたＣＱＩが１５の場合、ユーザ装置ＵＥの実際のスループットは５０Ｍｂｐｓであると推定し、通知されたＣＱＩが３の場合、ユーザ装置ＵＥの実際のスループットは１Ｍｂｐｓであると推定する。判定部１０４は、推定されたスループットを用いて、上述の［通信状況（スループット）に基づいて判定］と同様の処理手順によりセルの切替えを判定する。
【００７２】
［契約状況に基づいて判定］
判定部１０４は、ユーザ装置ＵＥの契約情報に基づいて、セルの切替えを判定するようにしてもよい。具体的には、判定部１０４は、ユーザ装置ＵＥが現在在圏しているセルとオーバーレイしているセルに、ユーザ装置ＵＥの契約情報で優先的に切替えるべきと指定されているセルが存在する場合、当該指定されているセルに切替えるべきと判定してもよい。
【００７３】
図１５に、契約情報の一例を示す。契約情報には、ユーザ装置ＵＥを一意に識別する識別子（例えばＩＭＳＩ、加入者番号など）、及び、優先して在圏すべきバンド若しくは通信方式が格納されている。
【００７４】
例えば、セルＡ１は８００ＭＨｚ帯のＬＴＥ方式、セルＢ１〜Ｂ３は１０ＧＨｚ帯の５Ｇ方式、セルＣ１〜Ｃ３は５ＧＨｚ帯の無線ＬＡＮ方式であると仮定する。セルＢ１に在圏しているユーザ装置ＵＥのＩＭＳＩが「Ａ」であった場合、判定部１０４は、セルＢ１にオーバーレイしているセルＡ１及びセルＣ１のうち、セルＣ１（無線ＬＡＮ方式）に切替えるべきと判定する。同様に、セルＢ１に在圏しているユーザ装置ＵＥのＩＭＳＩが「Ｂ」であった場合、判定部１０４は、セルＢ１にオーバーレイしているセルＡ１及びセルＣ１のうち、セルＡ１（８００ＭＨｚ帯のＬＴＥ方式）に切替えるべきと判定する。
【００７５】
［セル切替履歴情報に基づいて判定］
判定部１０４は、ユーザ装置ＵＥから通知される在圏セルの受信品質、及びセル切替履歴情報に基づいて、セルの切替えを判定するようにしてもよい。具体的には、判定部１０４は、ユーザ装置ＵＥから通知される在圏セルの受信品質とセル切替履歴情報とを比較することで、セル切替履歴情報に格納されている切替え先のセルの候補を抽出し、抽出された切替え先のセルの候補のうちいずれかのセルに切替えるべきと判定するようにしてもよい。
【００７６】
具体例として、例えば、ユーザ装置ＵＥから通知される在圏セル及び当該セルにおける受信品質はそれぞれ「セルＢ１」及び「２」であり、セル切替履歴情報には図６（ａ）に示す情報が格納されていると仮定する。この場合、判定部１０４は、切替え先セルの候補としてセルＡ１及びセルＣ１を抽出し、セルＡ１及びセルＣ１のうちいずれか一方のセル（例えば、最も平均スループットが大きいＣ１セル）に切替えるべきと判定する。
【００７７】
また、他の例として、判定部１０４は、ユーザ装置ＵＥから通知される在圏セルの受信品質、当該在圏セルの周辺のセルの受信品質、及びセル切替履歴情報に基づいて、セルの切替えを判定するようにしてもよい。具体的には、判定部１０４は、ユーザ装置ＵＥから通知される在圏セルの受信品質及び周辺セル（在圏セルと同一バンドである周辺のセル）の受信品質と、セル切替履歴情報とを比較することで、セル切替履歴情報に格納されている切替え先のセルの候補を抽出し、抽出された切替え先のセルの候補のうちいずれかのセルに切替えるべきと判定するようにしてもよい。
【００７８】
具体例として、例えば、ユーザ装置ＵＥから通知される在圏セル及び当該在圏セルにおける受信品質はそれぞれ「セルＢ１」及び「２」であり、ユーザ装置ＵＥから通知される周辺セル及び当該周辺セルにおける受信品質はそれぞれ「セルＢ３」及び「１」であり、切替履歴情報には図６（ｂ）に示す情報が格納されていると仮定する。この場合、判定部１０４は、切替え先セルの候補としてセルＣ１を抽出し、セルＣ１に切替えるべきと判定する。
【００７９】
セル切替履歴情報に基づいて切替え先のセルを判定することで、他のユーザ装置ＵＥにおける過去の経験則に基づいて、切替え先のセルを判定することが可能になる。また、図６（ｂ）のフォーマットのセル切替履歴情報を用いる場合、図６（ａ）に示すフォーマットの切替履歴情報を用いるよりも、切替え前のユーザ装置ＵＥの位置をより高精度に反映させて切替え先のセルを判定することが可能になる。
【００８０】
［セルの混雑状況に基づいて判定］
判定部１０４は、各セルの混雑状況に基づいて、セルの切替えを判定するようにしてもよい。具体的には、判定部１０４は、セルが混在していると判断した場合、ユーザ装置ＵＥが現在在圏しているセルとオーバーレイしているセルのうち、混雑していないセルに切替えるべきと判定するようにしてもよい。判定部１０４は、各セルが混雑しているか否かを、例えば、各セルに位置登録しているユーザ装置ＵＥの数、又は、各セルでＲＲＣコネクションが確立されているユーザ装置ＵＥの数が所定の閾値を超えているか否かで判断するようにしてもよい。
【００８１】
（切替え判定方法の組み合わせについて）
判定部１０４は、以上説明した複数の切替え判定方法のうち２つ以上を組み合わせることで、セルの切替えを判定するようにしてもよい。
【００８２】
例えば、判定部１０４は、"［通信状況（スループット）に基づいて判定］"又は"［通信状況（通信品質）に基づいて判定］"で説明した判定方法と、"［契約状況に基づいて判定］"又は"［セルの混雑状況に基づいて判定］"で説明した判定方法とを任意に組み合わせるようにしてもよい。
【００８３】
"［通信状況（スループット）に基づいて判定］"又は"［通信状況（通信品質）に基づいて判定］"で説明した判定方法では、ユーザ装置ＵＥの通信状況に基づいて、ユーザ装置ＵＥが現在在圏しているセルにオーバーレイしているセルのうちいずれかのセルに切替えるべきと判定するようにした。そこで、判定部１０４は、オーバーレイしているセルが複数存在する場合、当該複数のセルのうち、ユーザ装置ＵＥの契約情報に合致するセルに切替えるべきと判定するようにしてもよい。また、判定部１０４は、当該複数のセルのうち混雑していないセルに切替えるべきと判定するようにしてもよい。また、判定部１０４は、当該複数のセルのうち、ユーザ装置ＵＥの契約情報に合致するセルが存在する場合は、ユーザ装置ＵＥの契約情報に合致するセルに切替えるべきと判定し、ユーザ装置ＵＥの契約情報に合致するセルが存在しない場合は、当該複数のセルのうち混雑していないセルに切替えるべきと判定するようにしてもよい。なお、混雑していないセルとは（以降の説明でも同様）、各セルに位置登録しているユーザ装置ＵＥの数、又は、各セルでＲＲＣコネクションが確立されているユーザ装置ＵＥの数が所定の閾値よりも少ないセルであってもよい。
【００８４】
また、判定部は、"［セル切替履歴情報に基づいて判定］"で説明した判定方法と、"［契約状況に基づいて判定］"又は"［セルの混雑状況に基づいて判定］"で説明した判定方法とを任意に組み合わせるようにしてもよい。
【００８５】
"［セル切替履歴情報に基づいて判定］"で説明した判定方法では、切替え先セルの候補として複数のセルが抽出される可能性がある。そこで、判定部１０４は、切替え先セルの候補として複数のセルが抽出された場合、当該複数のセルのうち、ユーザ装置ＵＥの契約情報に合致するセルに切替えるべきと判定するようにしてもよい。また、判定部１０４は当該複数のセルのうち混雑していないセルに切替えるべきと判定するようにしてもよい。また、判定部１０４は、当該複数のセルのうち、ユーザ装置ＵＥの契約情報に合致するセルが存在する場合は、ユーザ装置ＵＥの契約情報に合致するセルに切替えるべきと判定し、ユーザ装置ＵＥの契約情報に合致するセルが存在しない場合は、当該複数のセルのうち混雑していないセルに切替えるべきと判定するようにしてもよい。
【００８６】
また、判定部１０４は、"［通信状況（スループット）に基づいて判定］"又は"［通信状況（通信品質）に基づいて判定］"で説明した判定方法と、"［セル切替履歴情報に基づいて判定］"で説明した判定方法とを組み合わせるようにしてもよい。
【００８７】
例えば、判定部１０４は、"［セル切替履歴情報に基づいて判定］"で説明した判定方法を用いて切替え先セルの候補を抽出し、切替え先セルの候補が抽出できなかった場合（例えば、セル切替履歴情報に該当するレコードが存在しない場合）に"［通信状況（スループット）に基づいて判定］"又は"［通信状況（通信品質）に基づいて判定］"で説明した判定方法を用いて切替え先のセルを判定するようにしてもよい。切替え先セルの候補として複数のセルが抽出された場合、更に、"［契約状況に基づいて判定］"又は"［セルの混雑状況に基づいて判定］"で説明した判定方法を用いて、切替え先セルを判定するようにしてもよい。
【００８８】
（切替えタイミングについて）
指示部１０５は、セルの切替えに伴う通信の中断を避けるために、ユーザ装置ＵＥが通信を行っていないタイミングでセルの切替えをユーザ装置ＵＥに指示するようにしてもよいし、セルの切替えをユーザ装置ＵＥに指示する前に、スケジューリングを一時停止するように基地局２に指示するようにしてもよい。
【００８９】
＜まとめ＞
以上、実施の形態によれば、バンドが異なる複数のセルがオーバーレイされ、通信装置とユーザ装置とを有する無線通信システムにおける通信装置であって、前記ユーザ装置が在圏中の第一のセルにおける、前記ユーザ装置の通信品質を取得する取得部と、前記ユーザ装置の通信品質に基づいて、前記第一のセルにオーバーレイされた第二のセルに切替えるか否かを判定する判定部と、前記第一のセルにオーバーレイされた第二のセルに切替えると判定された場合、前記ユーザ装置に、前記第二のセルへの切替えを指示する指示部と、を有する通信装置が提供される。この通信装置１により、複数のセルがオーバーレイされた無線通信システムにおいて、適切にセルの切替えを行うことが可能な技術が提供される。
【００９０】
また、前記ユーザ装置の通信品質は、所定期間における前記ユーザ装置のスループットであり、前記判定部は、前記第二のセルに在圏中の他の複数のユーザ装置における平均スループットと前記所定期間における前記ユーザ装置のスループットとを比較し、前記第二のセルに在圏中の他の複数のユーザ装置における平均スループットが前記所定期間における前記ユーザ装置のスループットよりも大きい場合に、前記第一のセルにオーバーレイされた第二のセルに切替えると判定するようにしてもよい。これにより、通信装置１は、ユーザ装置ＵＥのスループットに基づいて、セルの切替えを指示すべきか否かを判定することができる。また、通信装置１が自らの判断でセルの切替えを指示することが可能になるため、ユーザ装置ＵＥは、ＬＴＥのように、セルの切替え指示を受けるために、バンドが異なるセルの品質測定結果報告等を基地局に通知する処理が不要になる。
【００９１】
また、前記判定部は、前記所定期間における前記ユーザ装置のスループットを、前記第一のセルにおいて、前記ユーザ装置から通知される下りリンクの無線品質に基づいて推定するようにしてもよい。これにより、これにより、通信装置１は、ユーザ装置ＵＥから通知されるＣＱＩ等に基づいて、セルの切替えを指示すべきか否かを判定することができる。また、通信装置１が自らの判断でセルの切替えを指示することが可能になるため、ユーザ装置ＵＥは、ＬＴＥのように、セルの切替え指示を受けるために、バンドが異なるセルの品質測定結果報告等を基地局に通知する処理が不要になる。
【００９２】
また、前記取得部は、前記ユーザ装置の契約情報を取得し、前記判定部は、前記ユーザ装置の契約情報に基づいて、前記第一のセルにオーバーレイされた第二のセルに切替えるか否かを判定するようにしてもよい。これにより、通信装置１は、ユーザ装置ＵＥの契約情報に適したセルへの切替えを指示することが可能になる。
【００９３】
また、前記複数のセルのうち切替え元のセルにおいて測定された下りリンクの受信品質と切替え先のセルにおける通信品質とが対応づけられた履歴情報を記憶する記憶部、を有し、前記取得部は、前記ユーザ装置の通信品質として前記第一のセルにおける下りリンクの受信品質を取得し、前記判定部は、前記取得部で取得された前記第一のセルにおける下りリンクの受信品質と前記履歴情報とを比較することで、切替え先のセルの候補を抽出し、抽出された切替え先のセルの候補から、前記ユーザ装置が切替えるべき前記第二のセルを選択するようにしてもよい。これにより、通信装置１は、他のユーザ装置ＵＥにおける過去の経験則に基づいて、切替え先のセルを判定することが可能になる。
【００９４】
また、前記履歴情報は、更に、前記切替え元のセルの周辺の１以上のセルにおける下りリンクの受信品質が対応づけられており、前記取得部は、前記ユーザ装置から、更に、前記第一のセルの周辺の１以上のセルにおける下りリンクの受信品質を取得し、前記判定部は、前記取得部で取得された前記第一のセルにおける下りリンクの受信品質と、前記第一のセルの周辺の１以上のセルにおける下りリンクの受信品質と、前記履歴情報とを比較することで、切替え先のセルの候補を抽出し、抽出された切替え先のセルの候補から、前記ユーザ装置が切替えるべき前記第二のセルを選択するようにしてもよい。これにより、他のユーザ装置ＵＥにおける過去の経験則に基づいて切替え先のセルを判定する際に、切替え前のユーザ装置ＵＥの位置をより高精度に反映させることが可能になる。
【００９５】
＜実施形態の補足＞
以上、本発明の実施の形態で説明する各装置（通信装置１／基地局２／ユーザ装置ＵＥ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９６】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、通信装置１／基地局２／ユーザ装置ＵＥは機能的なブロック図を用いて説明されたが、そのような装置はハードウェアで、ソフトウェアで又はそれらの組み合わせで実現されてもよい。本発明の実施の形態に従って通信装置１が有するプロセッサにより動作するソフトウェア、本発明の実施の形態に従って基地局２が有するプロセッサにより動作するソフトウェア及び本発明の実施の形態に従ってユーザ装置ＵＥが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
（第１項）
バンドが異なる複数のセルがオーバーレイされ、通信装置とユーザ装置とを有する無線通信システムにおける通信装置であって、
前記ユーザ装置が在圏中の第一のセルにおける、前記ユーザ装置の通信品質を取得する取得部と、
前記ユーザ装置の通信品質に基づいて、前記第一のセルにオーバーレイされた第二のセルに切替えるか否かを判定する判定部と、
前記第一のセルにオーバーレイされた第二のセルに切替えると判定された場合、前記ユーザ装置に、前記第二のセルへの切替えを指示する指示部と、
を有する通信装置。
（第２項）
前記ユーザ装置の通信品質は、所定期間における前記ユーザ装置のスループットであり、
前記判定部は、前記第二のセルに在圏中の他の複数のユーザ装置における平均スループットと前記所定期間における前記ユーザ装置のスループットとを比較し、前記第二のセルに在圏中の他の複数のユーザ装置における平均スループットが前記所定期間における前記ユーザ装置のスループットよりも大きい場合に、前記第一のセルにオーバーレイされた第二のセルに切替えると判定する、
第１項に記載の通信装置。
（第３項）
前記判定部は、前記所定期間における前記ユーザ装置のスループットを、前記第一のセルにおいて、前記ユーザ装置から通知される下りリンクの無線品質に基づいて推定する、
第２項に記載の通信装置。
（第４項）
前記取得部は、前記ユーザ装置の契約情報を取得し、
前記判定部は、前記ユーザ装置の契約情報に基づいて、前記第一のセルにオーバーレイされた第二のセルに切替えるか否かを判定する、
第１項乃至第３項のいずれか一項に記載の通信装置。
（第５項）
前記複数のセルのうち切替え元のセルにおいて測定された下りリンクの受信品質と切替え先のセルにおける通信品質とが対応づけられた履歴情報を記憶する記憶部、を有し、
前記取得部は、前記ユーザ装置の通信品質として前記第一のセルにおける下りリンクの受信品質を取得し、
前記判定部は、前記取得部で取得された前記第一のセルにおける下りリンクの受信品質と前記履歴情報とを比較することで、切替え先のセルの候補を抽出し、抽出された切替え先のセルの候補から、前記ユーザ装置が切替えるべき前記第二のセルを選択する、
第１項乃至第４項のいずれか一項に記載の通信装置。
（第６項）
前記履歴情報は、更に、前記切替え元のセルの周辺の１以上のセルにおける下りリンクの受信品質が対応づけられており、
前記取得部は、前記ユーザ装置から、更に、前記第一のセルの周辺の１以上のセルにおける下りリンクの受信品質を取得し、
前記判定部は、前記取得部で取得された前記第一のセルにおける下りリンクの受信品質と、前記第一のセルの周辺の１以上のセルにおける下りリンクの受信品質と、前記履歴情報とを比較することで、切替え先のセルの候補を抽出し、抽出された切替え先のセルの候補から、前記ユーザ装置が切替えるべき前記第二のセルを選択する、
請求項５に記載の通信装置。
【符号の説明】
【００９７】
１  通信装置
２  基地局
ＵＥ  ユーザ装置
１０１  通信部
１０２  収集部
１０３  記憶部
１０４  判定部
１０５  指示部
２０１  通信部
２０２  通信制御部
３０１  通信部
３０２  セル切替部
３０３  測定部
【図１】
0006654937.tif 000002
【図２】
0006654937.tif 000003
【図３】
0006654937.tif 000004
【図４】
0006654937.tif 000005
【図５】
0006654937.tif 000006
【図６】
0006654937.tif 000007
【図７】
0006654937.tif 000008
【図８】
0006654937.tif 000009
【図９】
0006654937.tif 000010
【図１０】
0006654937.tif 000011
【図１１】
0006654937.tif 000012
【図１２】
0006654937.tif 000013
【図１３】
0006654937.tif 000014
【図１４】
0006654937.tif 000015
【図１５】
0006654937.tif 000016